(57)【特許請求の範囲】
【請求項１】
送風機を支持する支持台であって、
前記支持台は、
本体ケースと、
前記本体ケース内に設けたモータと基板部と、
前記モータによって回動する回動体と、
前記送風機に電気的に接続可能な中継コードと、
前記本体ケース内に設けた前記中継コードと前記基板部とを電気的に接続するスリップリングを備え、
前記スリップリングは、
前記本体ケース内に固定されたスリップリング固定部と、
前記スリップリング固定部に対して電気的に接続すると共に回動自在なスリップリング回動部とを備え、
前記スリップリング固定部は前記基板部と電気的に接続され、
前記スリップリング回動部は前記中継コードと電気的に接続され、
前記中継コードは前記回動体に固定され、
前記回動体と前記スリップリング回動部とを連動し、
前記送風機を前記回動体に載せる場合に前記支持台が受ける衝撃が、
前記スリップリングに伝わることを抑制する衝撃抑制連動機構を備えたことを特徴とする支持台。
【請求項２】
前記衝撃抑制連動機構は、
前記回動体に固定された上部衝撃抑制部と、
前記スリップリング回動部に装着された下部衝撃抑制部とを備え、
前記上部衝撃抑制部は、
前記回動体に固定された上部固定部分と、
前記上部固定部分から前記下部衝撃抑制部の方向へ突出した複数の突起部分とを備え、
前記下部衝撃抑制部は、
前記スリップリング回動部に装着された下装着部分と、
前記下装着部分に設けた複数の孔である第１の孔部分とを備え、
前記第１の孔部分と前記突起部分とは前記回動体の回動軸を中心とする同心円状に配置され、
前記第１の孔部分に前記突起部分が入り、
前記第１の孔部分と前記突起部分との間には隙間を備え、
前記上部固定部分と前記下装着部分とは所定の距離を設け配置さることを特徴とする請求項１に記載の支持台。
【請求項３】
複数の前記第１の孔部分は、
前記下装着部分を貫通していることを特徴とする請求項２に記載の支持台。
【請求項４】
前記スリップリング固定部は、
前記スリップリング回動部が電気的に接続されると共に回動自在に設けられた第１のスリップリング固定部と
前記第１のスリップリング固定部と前記本体ケースとを連結する第２のスリップリング固定部とを備え、
前記第２のスリップリング固定部は、
前記上部固定部分の複数の前記突起部分と対向する複数の孔である複数の第２の孔部分を備え、
複数の前記第２の孔部分は前記第２のスリップリング固定部を貫通し、
複数の第２の孔部分と複数の前記突起部分とが同時に対向することを特徴とする請求項２または３に記載の支持台。
【発明の詳細な説明】
【技術分野】
【０００１】
本発明は、例えば、送風により清涼感を与えたり空間内の空気循環を促したりする送風機を支持する支持台に関するものである。
【背景技術】
【０００２】
従来この種の支持台は、支持台の上に送風機が置かれ、支持台の回動により送風機が回動し送風方向を変えるものが知られていた（例えば特許文献１参照）。
【０００３】
支持台は、モータを備えた本体ケースと、本体ケースの上方にモータによって回動する回動体とを備えている。回動体の上部には、球形の送風機を備えていた。
【先行技術文献】
【特許文献】
【０００４】
【特許文献１】特開２０１５−１７５３０９号公報
【発明の概要】
【発明が解決しようとする課題】
【０００５】
このような従来の支持台においては、支持台の上に送風機が置かれるので、支持台の上部が衝撃を受け、その衝撃が支持台内の部品に伝わり、支持台内の部品の耐久性が低減するという課題を有していた。
【０００６】
そこで本発明は、支持台の上部が衝撃を受け、その衝撃が支持台内の部品に伝わることを低減し、支持台の耐久性が向上する支持台を提供することを目的とする。
【課題を解決するための手段】
【０００７】
上述の目的を達成するために、本発明は、送風機を支持する支持台であって、前記支持台は、本体ケースと、前記本体ケース内に設けたモータと基板部と、前記モータによって回動する回動体と、前記送風機に電気的に接続可能な中継コードと、前記本体ケース内に設けた前記中継コードと前記基板部とを電気的に接続するスリップリングを備え、前記スリップリングは、前記本体ケース内に固定されたスリップリング固定部と、前記スリップリング固定部に対して電気的に接続すると共に回動自在なスリップリング回動部とを備え、前記スリップリング固定部は前記基板部と電気的に接続し、前記スリップリング回動部は前記中継コードと電気的に接続し、前記中継コードは前記回動体に固定され、前記回動体と前記スリップリング回動部とを連動し、前記送風機を前記回動体に載せる場合に前記支持台が受ける衝撃が、前記スリップリングに伝わることを抑制する衝撃抑制連動機構を備えたことを特徴とし、これにより所期の目的を達成するものである。
【発明の効果】
【０００８】
本発明に係る送風装置によれば、送風機を支持する支持台であって、前記支持台は、本体ケースと、前記本体ケース内に設けたモータと基板部と、前記モータによって回動する回動体と、前記送風機に電気的に接続可能な中継コードと、前記本体ケース内に設けた前記中継コードと前記基板部とを電気的に接続するスリップリングを備え、前記スリップリングは、前記本体ケース内に固定されたスリップリング固定部と、前記スリップリング固定部に対して電気的に接続すると共に回動自在なスリップリング回動部とを備え、前記スリップリング固定部は前記基板部と電気的に接続し、前記スリップリング回動部は前記中継コードと電気的に接続し、前記中継コードは前記回動体に固定され、前記回動体と前記スリップリング回動部とを連動し、前記送風機を前記回動体に載せる場合に前記支持台が受ける衝撃が、前記スリップリングに伝わることを抑制する衝撃抑制連動機構を備えたので、支持台の耐久性が向上する。
【図面の簡単な説明】
【０００９】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台の衝撃抑制連動機構を示す断面斜視図
【図７】同支持台の衝撃抑制連動機構を示す斜視図
【図８】同支持台の衝撃抑制連動機構の第２のスリップリング固定部を示す平面図
【発明を実施するための形態】
【００１０】
（実施の形態１）
以下、添付図面を参照して、本発明の実施の形態につき説明し、本発明の理解に供する。
【００１１】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１２】
以下、本発明の実施の形態１に係る支持台について説明する。
【００１３】
図１は、本発明の実施の形態１に係る送風機と支持台の外観図である。図２は、本発明の実施の形態１に係る支持台の外観図である。
【００１４】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１５】
図３は、本発明の実施の形態１に係る支持台の断面図である。図４は、本発明の実施の形態１に係る支持台の分解図である。
【００１６】
図３、４に示すように、回動体４は、送風機２を支持する支持部５と、支持部の下部に固定された摺動部６とを備えている。
【００１７】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１８】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００１９】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２０】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００２１】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２２】
図５は、本発明の実施の形態１に係る支持台の断面図である。
【００２３】
図３、５に示すように、本体ケース３内には、基板部１９と、モータ２１と、第１の歯車２２と、第２の歯車２３とを備えている。
【００２４】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２５】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２６】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２７】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２８】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００２９】
図６は、本発明の実施の形態１に係る支持台の衝撃抑制連動機構を示す断面斜視図である。図７は、本発明の実施の形態１に係る支持台の衝撃抑制連動機構を示す斜視図である。
【００３０】
図３、６、７に示すように、送風機２に電気的に接続可能な中継コード２６を備えている。回動体４が回動すると、送風機２と、送風機２に接続された中継コード２６とが回動する。この回動時に、本体ケース３内で中継コード２６に屈曲しないように、本体ケース３内には、スリップリング３０を備えている。
【００３１】
スリップリング３０は、スリップリング固定部３１と、スリップリング回動部３２とを備えている。スリップリング固定部３１は、本体ケース３内に固定され、基板部１９から延びた電線３３と電気的に接続されている。スリップリング回動部３２は、スリップリング固定部３１に対して回動自在に装着され、スリップリング固定部３１および中継コード２６と電気的に接続されている。スリップリング回動部３２の回動中心は、回動体４の回動中心上に配置されている。これにより、回動体４が回動すると、送風機２と、送風機２に接続された中継コード２６と、スリップリング回動部３２とが回動するので、本体ケース３内で中継コード２６が屈曲することを抑制できる。
【００３２】
本実施の形態における特徴は、衝撃抑制連動機構３４を備えた点である。衝撃抑制連動機構３４は、回動連動と、衝撃抑制との２つの効果を備えている。前者は、衝撃抑制連動機構３４によって、回動体４とスリップリング回動部３２とが連動して、回動体４と中継コード２６とスリップリング回動部３２とが、同時に回動する点である。これにより、中継コード２６にねじりが発生することを防止できる。後者は、衝撃抑制連動機構３４によって、送風機２を支持台１の回動体４に載せる場合に、支持台１の回動体４が受ける衝撃が、スリップリング３０に伝わることを抑制する点である。これにより、スリップリング３０の耐久性が向上する。
【００３３】
具体的には、衝撃抑制連動機構３４は、回動体４の下部に固定された上部衝撃抑制部３５と、スリップリング回動部３２の上部に装着された下部衝撃抑制部３６とを備えている。回動体４、上部衝撃抑制部３５、下部衝撃抑制部３６、スリップリング回動部３２、スリップリング固定部３１の順に、下方へ配置されている。
【００３４】
上部衝撃抑制部３５は、上部固定部分３７と、上部固定部分３７に設けた２つの孔３８と、複数の突起部分３９とを備えている。
【００３５】
上部固定部分３７は、略円板形状の樹脂板である。上部固定部分３７の中央部には２つの孔３８を備え、２つの孔３８に対向するねじ穴（図示せず）を回動体４の下端に備えている。上部固定部分３７は、上部固定部分３７の一方面（上面）が回動体の下端と接触した状態で、２つの孔３８を介して、回動体４の２つのねじ穴にねじ（図示せず）によってねじ止めされ、回動体４に固定されている。
【００３６】
突起部分３９は、上部固定部分３７の他方面（下面）の周縁部から、下部衝撃抑制部３６側（下方）に延びた複数の円柱形状での突起である。複数の突起部分３９は、後述する下部衝撃抑制部３６の複数の第１の孔部分４２に入るように配置されている。
【００３７】
下部衝撃抑制部３６は、下装着部分４０と、下装着部分４０に設けた軸部４１と、複数の第１の孔部分４２とを備えている。
【００３８】
下装着部分４０は、略円板形状の樹脂板である。下装着部分４０の一方面（上面）は、上部固定部分３７の他方面（下面）に対向している。下装着部分４０の他方面（下面）の中央部には、スリップリング回動部３２側（下方）に延びた軸部４１を備えている。スリップリング回動部３２の上部には、軸部４１が嵌る軸穴部４３を設けている。下装着部分４０の軸部４１を、スリップリング回動部３２の軸穴部４３に嵌め、スリップリング回動部３２の回動方向に下装着部分４０を回動させると、スリップリング回動部３２も回動する。軸部４１の一例は、円柱をＤ形状に加工（Ｄカット）された形状である。
【００３９】
第１の孔部分４２は、下装着部分４０の周縁部に、上部衝撃抑制部３５側（上方）が開口した複数の孔である。第１の孔部分４２は、上部衝撃抑制部３５の突起部分３９に対向している。第１の孔部分４２と突起部分３９とは回動体４の回動軸を中心とする同心円状に配置されている。
【００４０】
以上の構成において、組み立て手順について説明する。まず、ねじ（図示せず）によって、上部固定部分３７を回動体４に固定する。次に、下装着部分４０をスリップリング回動部３２に装着する。つまり、下装着部分４０の軸部４１を、スリップリング３０のスリップリング回動部３２の軸穴部４３に嵌める。最後に、上部固定部分３７の突起部分３９を、下装着部分４０の第１の孔部分４２に入れ、スリップリング３０を本体ケース３内に固定すると、第１の孔部分４２と突起部分３９との間には隙間を備え、上部固定部分３７と下装着部分４０とは所定の距離を有し配置される。
【００４１】
これにより、衝撃抑制連動機構３４によって、回動体４からスリップリング回動部３２までの中継コード２６は、回動体４およびスリップリング回動部３２と同時に回動するので、中継コード２６にねじりが発生することを防止できる。
【００４２】
更に、衝撃抑制連動機構３４によって、送風機２を支持台１に載せる場合に支持台１が受ける衝撃により、上部衝撃抑制部３５と下部衝撃抑制部３６との距離が近づいた場合にも、第１の孔部分４２と突起部分３９との間には隙間があり、上部固定部分３７と下装着部分４０とは所定の距離を有しているので、上部衝撃抑制部３５と下部衝撃抑制部３６とが接触することを抑制できる。結果として、衝撃がスリップリング３０に伝わることを抑制でき、スリップリング３０の耐久性が向上する。
【００４３】
また、複数の第１の孔部分４２は、下装着部分４０を上下方向に貫通している。
【００４４】
これにより、衝撃抑制連動機構３４によって、送風機２を支持台１に載せる場合に支持台１が受ける衝撃により、上部衝撃抑制部３５の突起部分３９が下がっても、第１の孔部分４２と突起部分３９とが接触しないので、衝撃がスリップリング３０に伝わることを抑制できる。また、組み立てる場合に、上部衝撃抑制部３５の突起部分３９と、下部衝撃抑制部３６の第１の孔部分４２とを容易に合わすことができる。
【００４５】
図８は、本発明の実施の形態１に係る支持台の衝撃抑制連動機構の第２のスリップリング固定部を示す平面図である。
【００４６】
図６、７、８に示すように、スリップリング固定部３１は、第１のスリップリング固定部４４と、第２のスリップリング固定部４５とを備えている。
【００４７】
第１のスリップリング固定部４４には、スリップリング回動部３２が電気的に接続されると共に回動自在に設けている。第２のスリップリング固定部４５は、第１のスリップリング固定部と本体ケース３とを連結する。つまり、第１のスリップリング固定部４４は、第２のスリップリング固定部４５に固定され、第２のスリップリング固定部４５は、本体ケース３に固定されている。
【００４８】
第２のスリップリング固定部４５は、上部固定部分３７から延びる複数の突起部分３９と対向する複数の孔である複数の第２の孔部分４６を備えている。複数の第２の孔部分４６は、第２のスリップリング固定部４５を貫通し、複数の第２の孔部分４６と複数の突起部分３９とが同時に対向する。
【００４９】
これにより、本体ケース３に第２のスリップリング固定部４５を固定した後で、下部衝撃抑制部３６の第１の孔部分４２に上部衝撃抑制部３５の突起部分３９が入っていることを確認できる。
【産業上の利用可能性】
【００５０】
送風により清涼感を与えたり空間内の空気循環を促したりする送風機の支持台として有用である。
【符号の説明】
【００５１】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５    回転軸
２６    中継コード
３０    スリップリング
３１    スリップリング固定部
３２    スリップリング回動部
３３    電線
３４    衝撃抑制連動機構
３５    上部衝撃抑制部
３６    下部衝撃抑制部
３７    上部固定部分
３８    孔
３９    突起部分
４０    下装着部分
４１    軸部
４２    第１の孔部分
４３    軸穴部
４４    第１のスリップリング固定部
４５    第２のスリップリング固定部
４６    第２の孔部分
【図１】
0006667069.tif 000002
【図２】
0006667069.tif 000003
【図３】
0006667069.tif 000004
【図４】
0006667069.tif 000005
【図５】
0006667069.tif 000006
【図６】
0006667069.tif 000007
【図７】
0006667069.tif 000008
【図８】
0006667069.tif 000009